(57)【要約】歯科用マトリックスバンドリテーナーは、リトラクターと本体部と付勢機構とを備えている。リトラクターは、近位端部及び遠位端部を有し、近位端部にバンド係合部を有する。本体部は、近位端部及び遠位端部を有し、近位端部にヘッド部が位置する。付勢機構はリトラクターを本体部に連結する。付勢機構は、静止位置と完全能動位置とを有する。静止位置では、ヘッド部はバンド係合部から第１の距離だけ離間し、完全能動位置では、ヘッド部はバンド係合部から第１の距離よりも大きい第２の距離だけ離間する。付勢機構は、完全能動位置に向けて付勢機構を付勢するアクチュエーターを含む。【選択図】図１
2014534031.tif 000002
【特許請求の範囲】
【請求項１】
歯科用マトリックスバンドリテーナーであって、
近位端部及び遠位端部を有するリトラクターであって、該近位端部にバンド係合部を有する、リトラクターと、
近位端部及び遠位端部を有する本体部であって、該近位端部にヘッド部が位置する本体部と、
前記リトラクターを前記本体部に連結する付勢機構とを備え、該付勢機構は静止位置と完全能動位置とを有し、前記静止位置では、前記ヘッド部は前記バンド係合部から第１の距離だけ離間し、前記完全能動位置では、前記ヘッド部は前記バンド係合部から、前記第１の距離よりも大きい第２の距離だけ離間し、該付勢機構は、前記静止位置から前記完全能動位置に向けて該付勢機構を付勢するアクチュエーターを含む、歯科用マトリックスバンドリテーナー。
【請求項２】
前記付勢機構は弓状アームを含む、請求項１に記載の歯科用マトリックスバンドリテーナー。
【請求項３】
前記本体部は前記弓状アームを含む、請求項２に記載の歯科用マトリックスバンドリテーナー。
【請求項４】
前記本体部及び前記付勢機構は１対の弾力的付勢アームを含み、該１対の弾力的付勢アームは、前記本体部の前記遠位端部と該本体部の前記近位端部との間に延在する、請求項１に記載の歯科用マトリックスバンドリテーナー。
【請求項５】
前記本体部は長手方向延在部を有し、該長手方向延在部は、前記本体部の前記近位端部と前記付勢機構との間に延在する、請求項１に記載の歯科用マトリックスバンドリテーナー。
【請求項６】
前記長手方向延在部はチャネルを有し、前記リトラクターの少なくとも一部が前記チャネル内に延び、前記本体部は、前記ヘッド部と前記チャネルとの間にある壁を更に含み、第１のバンド収容スロットが、前記長手方向延在部に対して直交する方向に延在する、請求項５に記載の歯科用マトリックスバンドリテーナー。
【請求項７】
前記ヘッド部は可動トグル当接面を有し、該可動トグル当接面は第２のバンド収容スロットを有する、請求項１に記載の歯科用マトリックスバンドリテーナー。
【請求項８】
前記ヘッド部は略円筒状の受け部を有し、該受け部は略円筒状のスイベルヘッドを収容する、請求項７に記載の歯科用マトリックスバンドリテーナー。
【請求項９】
前記略円筒状のスイベルヘッドは、２つの壁部を有するディスク状ベースを含み、前記２つの壁部は前記ベースから上方に延在しており、前記２つの壁部は前記第２のバンド収容スロットによって分離され、前記２つの壁部は概ね円筒状外面を形成し、各壁部が凸状内面を画定し、該凸状内面は前記第２のバンド収容スロットを形成するように分岐しており、各壁部が上端部を有し、該上端部から横方向にリッジが延在し、前記略円筒形の受け部は、アンダーカットを有する開口と、スロットとを有し、円筒形スタブが、前記スイベルヘッドの底部から、前記アンダーカットを有する開口に収容されるように延在し、前記円筒形スタブは延出部を有し、該延出部は、横方向に延在するとともに、前記開口及び前記スロットを介して概ね後方に向いた方向において収容される形状とされており事後ロック係合を可能とさせる、請求項８に記載の歯科用マトリックスバンドリテーナー。
【請求項１０】
前記リトラクター及び前記本体部は一体部品である、請求項１に記載の歯科用マトリックスバンドリテーナー。
【請求項１１】
前記リトラクターは、前記バンド係合部と前記遠位端部との間に延在するロッド部を有し、前記本体部の前記遠位端部に取り付けられるコネクター部を含み、前記バンド係合部は固定トグル受け部を有するカプラー部を含み、第３のバンド収容スロットが、前記受け部から前記リトラクターの前記近位端部の開口に向かって延在し、前記リトラクター及び前記チャネルは、安定をもたらす舌部と溝との相互連結部を有する、請求項１に記載の歯科用マトリックスバンドリテーナー。
【発明の詳細な説明】
【技術分野】
【０００１】
本発明は、歯科用マトリックスバンドとともに用いるリテーナーに関し、特に、歯の修復中に環状マトリックスバンドを固定する歯科用マトリックスバンドリテーナーに関する。
【０００２】
［関連出願の相互参照］
本願は、２０１１年１１月２日に出願された、ニュージーランド国特許出願第５９６１７６号に対する優先権を主張する。この特許出願の内容全体は、引用することにより、本明細書の一部をなす。
【背景技術】
【０００３】
環状マトリックスバンド及びマトリックスバンドの使用が、修復歯科学（restorative dentistry）においてよく知られており、広く利用されている。
【０００４】
従来技術における主たる問題は、環状バンドでは、修復処置中、テンショナーを適所に配置したままにしてマトリックスバンドにかかる張力を維持することが必要となることや、バンドがバレル体（barrel-type feature）に張架されていることである。双方の場合において、修復処置は張力付与具の存在によって制限を受ける。
【０００５】
歯科用マトリックスリテーナーは、歯の修復中、マトリックスバンドを締め付けて、マトリックスバンドを歯の周囲に固定する機械器具である。歯科用マトリックスリテーナーは、通常、本体部材とヘッド部材とからなる。マトリックスバンドは、ヘッド部材を通して取付けられ、本体部材は、歯の周囲でのマトリックスバンドの締付けを行う。上述したように、従来技術における問題は、修復中、マトリックスバンドリテーナーが環状バンドに取り付けられたままであり、歯科医にとって障害となる。
【０００６】
従来技術のマトリックスバンドリテーナーは、プラスチックや金属等の様々な材料から作成することができる。従来技術のマトリックスバンドリテーナーは、使い捨てとすることも、使い捨て不可とすることもできる。
【発明の概要】
【発明が解決しようとする課題】
【０００７】
本発明の目的は、環状マトリックスバンドを歯の周囲に配置して締め付ける手段を提供することである。
【０００８】
本発明の目的は、使いやすい歯科用環状マトリックスバンドリテーナーを提供することである。
【０００９】
本発明の更なる目的は、ひとたび配置されると、修復領域において障害が生じることのない環状マトリックスバンドを包含することである。
【００１０】
本発明の更なる目的は、バンドが歯の周囲に締め付けられると、トグルで留められた環状バンドから取り外すことができるマトリックスバンドリテーナーを提供することである。
【課題を解決するための手段】
【００１１】
したがって、本発明は、歯科用マトリックスバンドリテーナーを提供するものである。当該リテーナーは、近位端部及び遠位端部を有するリトラクターを備え、バンド係合部が近位端部に位置しており、近位端部及び遠位端部を有する本体部を備え、ヘッド部が近位端部に位置しており、リトラクターを本体部に連結する付勢機構を備えている。ヘッド部は、静止位置においては、バンド係合部から第１の距離だけ離間している。ヘッド部は、完全能動位置では、バンド係合部から第１の距離よりも大きい第２の距離だけ離間している。付勢機構は、静止位置から完全能動位置に向けて付勢機構を付勢するアクチュエーターを含む。
【図面の簡単な説明】
【００１２】
【図１】歯科用環状マトリックスを伴う、本発明の１つの実施形態による歯科用環状マトリックスバンドリテーナーの斜視図である。
【図２】図１の歯科用環状マトリックスバンドの斜視図である。
【図３】図１の歯科用環状マトリックスバンドリテーナーの本体部の上方斜視図である。
【図４】図１の歯科用環状マトリックスバンドリテーナーの本体部の下方斜視図である。
【図５】図１の歯科用環状マトリックスバンドリテーナーの本体部の前方上方斜視図である。
【図６】図１の歯科用環状マトリックスバンドリテーナーのリトラクターの斜視図である。
【図７】図１の歯科用環状マトリックスバンドリテーナーのリトラクターの遠位側端部の斜視図である。
【図８】図１の歯科用環状マトリックスバンドリテーナーのリトラクターの近位側端部の斜視図である。
【図９】図１の歯科用環状マトリックスバンドリテーナーのスイベルヘッドの底部前方斜視図である。
【図１０】図１の歯科用環状マトリックスバンドリテーナーのスイベルヘッドの頂部後方斜視図である。
【図１１】図１の歯科用環状マトリックスバンドリテーナーの断面図である。
【発明を実施するための形態】
【００１３】
図１は、歯科用環状マトリックス１２を伴う、本発明の１つの実施形態による歯科用環状マトリックスバンドリテーナー１０の斜視図である。リテーナー１０は、本体部１４とリトラクター１６とを備えるように示されている。本体部１４はヘッド部１８を含む。
【００１４】
歯科用環状マトリックス１２が図２に示されている。本発明は歯科用環状マトリックス１２自体に関するものではないが、その構造は本発明をより十分に理解するのに重要である。歯科用環状マトリックス１２は、第１の端部２４及び第２の端部２６を有するバンド２２を含む。このバンドは、折り返して上記端部同士を位置合わせした状態で重ねられ、環状バンド部２８を形成する。上記端部は、固定トグル３０等によってともに固定される。可動トグルすなわち摺動トグル３２が締まり嵌めによってバンド上に構成される。理解されるように、上記端部から離れるように可動トグルを移動させると、ループになったバンドの環の大きさを制限する。
【００１５】
図６はリトラクター１６の上方斜視図である。図７はリトラクターの遠位端部４０の斜視図であり、図８はリトラクターの近位端部４２の斜視図である。図６〜図８は、リトラクター１６がロッド部４４を有し、遠位端部にコネクター部４６と、近位端部にカプラー部４８とを有することを示している。リトラクター１６は、例えば、プラスチックや金属を含む剛性構造を呈する種々の材料から作製することができる。図７において最も良く見て取れるように、コネクター部は、開放遠位端５０を有するカプラー状構造を有する。図示されているコネクター部は、開放されている頂部５２と、閉鎖されている底部５６を提供する壁５４とを有する。壁の内面５８は、一連の同様な形状の湾曲溝６０を有する。図８において最も良く見て取れるように、カプラー部は、１対のプロング部（prong：叉）６２によって部分的に形成される略Ｃ字状の外形を有する。プロング部は略Ｄ字状の開口６４を形成し、この開口６４からリトラクターの近位端の開口に向かってスロット６６が延在している。理解されるように、スロットは、把持機能を向上させるために曲がりくねった曲線形状を呈する。カプラー部の両側は、長手方向に延在する溝６８をそれぞれ有する。
【００１６】
図３は、歯科用環状マトリックスバンドリテーナー１０の本体部１４の上方斜視図である。本体部１４は、弓の形状になっている１対の弾力的外側アーム８０を含む。これらのアームは、第１の端部８２及び第２の端部８４をそれぞれ有する。第１の端部同士は、本体部１４の略中間部においてつながっている。第２の端部同士は、本体部１４の遠位位置においてつながっている。リトラクターに連結されるコネクター部８６が、本体部の遠位端部に位置している。
【００１７】
ネック部９０が、弾力的外側アームの第１の端部から本体部１４の近位端部まで延在している。ネック部は、リトラクター１６を収容して保持するチャネル９２を有する。チャネルは、１対の対向する側壁９４によって形成される。チャネルは、側壁の内面に沿って長手方向に延在する対向する突条部又は舌部９６を有する。舌部は、カプラー部にある１対の溝に収容されるようになっており、それにより剛性の向上がもたらされる。側壁の下端部は第１の底壁９８を介して接続されており、第１の底壁９８は、１対の弾力的外側アームの第１の端部に隣接して位置している。側壁の下端部は、また、第２の底壁１００を介して接続されており、第２の底壁１００は、本体部の近位端部に位置する。側壁の上端部は頂壁すなわちブリッジ１０２によって接続されており、ブリッジ１０２は、概ね弾力的外側アームの第１の端部同士が出会う場所に位置する。ネック部はリトラクター当接面１０４を更に有し、この当接面１０４は、近位方向へのリトラクターの移動を制限する。
【００１８】
図１に示されているように、本体部１４はヘッド部を含む。ヘッド部は、略円筒状のスイベルヘッド１１０を含む。図３において見て取れるように、ヘッド部は、スイベルヘッドを収める受け部１１２を含む。受け部は、第２の底壁の一部を含む。第２の底壁の上面には略円筒形の凹部１１４が設けられる。この上面の遠位周囲から上方に向かって、スイベルヘッド当接面すなわちスイベルヘッド用壁１１６が延在している。スイベルヘッド用壁１１６は、略円筒形の凹部及びスイベルヘッドと概ね整合する円筒形面を呈する。スイベルヘッド用壁は、垂直に延びるスロット１１８によって分離されている。このスロットは、ネック部を通って延在する長手方向軸と概ね整合する。この実施形態では、スイベルヘッド用壁及びリトラクター当接面は同じ構造によって形成されることが理解される。円形開口１２０が、円筒形凹部の概ね中心の位置において第２の底壁を貫通している。スロット開口１２２が、円形開口から本体部の近位端側に向かって延在している。円形開口とスロット開口とが一緒になって、略鍵穴の形状を形成する。図４において見て取れるように、鍵穴状開口はアンダーカット１２４を有する。アンダーカット１２４は鍵穴状開口の周縁に沿って延在している。アンダーカット１２４は、スロット開口と略同じ又はスロット開口よりも僅かに大きい半径を有し、この周縁に沿った最も遠位側の位置を起点として両方向に延在し、全体としておよそ２２５度の角度わたって延在している。このようにして、第１の停止部及び第２の停止部１２６が形成される。
【００１９】
図４もコネクター部を示している。コネクター部は壁１３０を有する。壁１３０は、本体部の遠位側端部から近位側端部に向かって、かつ本体部の頂部側に延在している。コネクター部の壁の内面から本体部の底部側に向かって、一連の同様な形状の湾曲フランジ１３２が垂直方向に延在している。湾曲フランジすなわちプロング部(prong)は、図１１に示されているようなリトラクターの湾曲溝と係合するようにされている。本体部の長手方向軸に沿ったリトラクターの位置は、それぞれの湾曲溝に挿入される湾曲フランジの位置を変更することによって調整することができることが理解される。垂直のプロング部は、材料の伸張を可能にするように、ヘッド部に対して調整可能な長さ（リーチ）を提供する。
【００２０】
図９及び図１０に示されているように、スイベルヘッドは略円筒形のベース部１３４を有する。１対の壁１３６が、ベース部からリテーナーの頂部側に向かって垂直に延在している。垂直の壁は、垂直のスロット１３８によって分離されている。垂直の壁の外面１４０は略円筒形の面を提供、すなわち画定している。垂直の壁の内面１４２は、スリットに向かって収束する凸面をそれぞれ画定している。リッジ１４４が、垂直の壁のそれぞれの上縁から横方向外方に延在している。円形開口の直径よりも僅かに小さい直径を有するスタブ１４６が、ベース部から下方に延在している。タングすなわち延出部１４８が、スタブから横方向に延在するとともに、第２の底壁のアンダーカットの箇所の厚さと略同じ距離を置いて、ベース部の第２の底面壁から離間している。スタブ及びタング（延出部）は、鍵穴状開口と同様のプロフィールすなわち輪郭を画定している。スイベルヘッドを本体部に挿入するために、タング（延出部）は上記スロットと整合するようにされなければならないことが理解される。このとき、スイベルヘッドを、停止部のうちの１つを越えて約１８０度回転させる。次に、スイベルヘッドを、概ねリテーナーの近位端部側に向かって垂直のスロットに合わせて位置決めすることができる。このとき、スイベルヘッドは締まり嵌め状態であるが、タング（延出部）によって２つの停止部間の２２５度の位置まわりに関して容易に調整可能である。
【００２１】
リトラクターは、チャネル内に収まるとともに、側壁と、底壁と、頂壁とによって囲まれることが理解される。カプラー部はヘッド部に隣接し、カプラー部とヘッド部との間の構造によって分離される。このとき、２つの外側弓体は通常の弧状形態にある。弓体が互いに向かって圧迫されると、リトラクターの遠位側端部はヘッド部に対して遠位側に移動し、ひいては、カプラー部をヘッド部から離れるように同様の遠位側方向に移動する。
【００２２】
リテーナーは以下の様に動作する。マトリックスバンドの閉鎖端部が、カプラー部のスロットを通してリテーナー内に配置される。このとき、ヘッド部の前方のマトリックスバンドの可動バックル及び固定テールが、リトラクターの近位側端部のカプラー部内に位置決めされる。マトリックスバンドのループ部が歯上に配置される。テンショナーである弓体を圧迫することにより、リトラクターが後退して、バンドの閉鎖端部が後方に引っ張られ、マトリックスバンドのループ部に向けて前方にバックルが押し進められ、歯の周囲にバンドが密着する。マトリックスバンドが適所に置かれると、テンショナーを取り外してバンドの自由端部を平坦にして邪魔にならないようにすることができる。
【００２３】
別の実施形態においては、ヘッド部は、第２の底部側から垂直方向上方に延在する４つの垂直のプロング部（図示していない）を含む。４つのプロング部は４つの垂直のスリットを画定し、１つは遠位側に面し、別の１つは近位側に面し、別の１つはチャネルの片側にあり、最後の１つはチャネルの反対側にある。
【００２４】
また、別の実施形態においては、リトラクターのカプラー部は、スリットを形成する２つの垂直のフランジ（図示していない）からなる。このスリットはチャネルの長手方向軸と整合している。
【００２５】
スイベルヘッドは、バンドをヘッドの左側においても右側においても用いることを可能にする。同様に、４つの垂直のポストは、リテーナーを顎のどちらの側においても用いることを可能にする。
【００２６】
本体部、特に弾力的アームは、弾力的アームが図面に示されているような弓状形態に付勢される材料で作製され、そのような態様に形成される。
【００２７】
本発明は特定の用途に関して記載されているが、この用途は本質的に例示であり、本発明の可能な用途を限定する意図はない。本発明の趣旨及び範囲から逸脱することなく、変更及び変形を実施してもよいことが理解される。本開示は本発明の例示として意図されており、本発明を図示及び記載されている特定の実施形態に限定することは意図していないことが理解される。本開示は、添付の特許請求の範囲により、特許請求の範囲の範囲内にある全ての変更形態を包含することが意図される。
【図１】
2014534031.tif 000003
【図２】
2014534031.tif 000004
【図３】
2014534031.tif 000005
【図４】
2014534031.tif 000006
【図５】
2014534031.tif 000007
【図６】
2014534031.tif 000008
【図７】
2014534031.tif 000009
【図８】
2014534031.tif 000010
【図９】
2014534031.tif 000011
【図１０】
2014534031.tif 000012
【図１１】
2014534031.tif 000013
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
歯科用マトリックスバンドリテーナーであって、
近位端部（４２）及び遠位端部（４０）を有するリトラクター（１６）であって、該近位端部にバンド係合部（４８）を有する、リトラクター（１６）と、
近位端部と、遠位端部と、長手方向延在部（９０）とを有する本体部（１４）であって、該長手方向延在部は、該本体部の該近位端部側に位置し、該長手方向延在部は近位端部と遠位端部とを有し、該本体部の該近位端部にヘッド部を有する本体部（１４）と、
該リトラクター（１６）を該本体部（１４）に連結する弾性付勢機構（８０）とを備え、該弾性付勢機構は一対の弾力的弓状アーム（８０）を含み、該弓状アームは近位端部と遠位端部とを有し、該弓状アームの該遠位端部は該リトラクター（１６）の該遠位端部において連結されており、該弓状アームの該近位端部は該長手方向延在部の該遠位端部に連結されており、該弾性付勢機構は静止位置と完全能動位置とを有し、該静止位置では、該ヘッド部は該バンド係合部から第１の距離だけ離間し、該完全能動位置では、該ヘッド部は該バンド係合部から、該第１の距離よりも大きい第２の距離だけ離間し、該弾力的弓状アーム（８０）は、該静止位置から該完全能動位置に向けて該弾性付勢機構を付勢するアクチュエーターを提供する、歯科用マトリックスバンドリテーナー。
【請求項２】
前記本体部（１４）は前記弓状アーム（８０）を含む、請求項１に記載の歯科用マトリックスバンドリテーナー。
【請求項３】
前記長手方向延在部（９０）はチャネル（９２）を有し、前記リトラクター（１６）の少なくとも一部が前記チャネル（９２）内に延在し、前記本体部（１４）は、前記ヘッド部と前記チャネル（９２）との間に壁（１１６）を更に含み、第１のバンド収容スロット（１１８）が、前記壁（１１６）を分離している、請求項１に記載の歯科用マトリックスバンドリテーナー。
【請求項４】
前記ヘッド部は可動トグル当接面（１４０）を有し、該可動トグル当接面は第２のバンド収容スロット（１３８）を有する、請求項１に記載の歯科用マトリックスバンドリテーナー。
【請求項５】
前記ヘッド部は略円筒状の受け部（１１２）を有し、該受け部は略円筒状のスイベルヘッド（１１０）を収容する、請求項４に記載の歯科用マトリックスバンドリテーナー。
【請求項６】
前記略円筒状のスイベルヘッド（１１０）は、２つの壁部（１３６）を有するディスク状ベース（１３４）を含み、前記２つの壁部（１３６）は前記ベース（１３４）から上方に延在しており、前記２つの壁部（１３６）は前記第２のバンド収容スロット（１３８）によって分離され、前記２つの壁部（１３６）は概ね円筒状外面（１４０）を形成し、各壁部（１３６）が凸状内面（１４２）を画定し、該凸状内面（１４２）は前記第２のバンド収容スロット（１３８）を形成するように分岐しており、各壁部（１３６）が上端部を有し、該上端部から横方向外方にリッジ（１４４）が延在し、前記略円筒形の受け部（１１２）は、アンダーカット（１２４）を有する開口（１２０）と、スロット（１２２）とを有し、円筒形スタブ（１４６）が、前記スイベルヘッド（１１０）の底部から、前記アンダーカットを有する開口に収容されるように延在し、前記円筒形スタブ（１４６）は延出部（１４８）を有し、該延出部は、横方向に延在するとともに、前記開口（１２０）及び前記スロット（１２２）を介して概ね後方に向いた方向において収容される形状とされており事後ロック係合を可能とさせる、請求項５に記載の歯科用マトリックスバンドリテーナー。
【請求項７】
前記リトラクター（１６）及び前記本体部（１４）は一体部品である、請求項１に記載の歯科用マトリックスバンドリテーナー。
【請求項８】
前記リトラクター（１６）は、前記バンド係合部（４８）と前記遠位端部との間に延在するロッド部と、前記本体部（１４）の前記遠位端部のコネクター部（８６）に取り付けられるコネクター部（４６）とを含み、前記バンド係合部（４８）は固定トグル受け部（６４）を有するカプラー部（４８）を含み、第３のバンド収容スロット（６６）が、前記固定トグル受け部（６４）から前記リトラクター（１６）の前記近位端部の開口に向かって延在し、前記リトラクター（１６）及び前記チャネル（９２）は、安定をもたらす舌部（９６）と溝（６８）との相互連結部を有する、請求項１に記載の歯科用マトリックスバンドリテーナー。
【国際調査報告】
2014534031.tif 000014
2014534031.tif 000015